(57)【要約】【課題】リンク及びリング先の各情報制作者の意図を反映したリングスケジュール作成を実現する。【解決手段】情報制作者が作成した情報を管理する機能１０、該機能が管理している情報同士の関連づけの可否を管理する機能２０、関連づけられる元になる情報の部分に対する承認コードを管理する機能３０、関連づけられる元になる情報の部分を指定する機能４０、該機能で指定した部分に対して関連付ける情報を機能１０に問い合わせ検索する機能５０、関連づけられる元になる情報の部分と、そこに関連づけられる情報とを、機能８０が管理する情報提供スケジュールに登録する機能６０、関連づけられる元になる情報の制作者が、関連づけを認めていない情報に関して、関連づけして良いかの承認を、関連づけられる元になる情報の制作者に依頼する機能７０で構成される。【選択図】        図１
2004349894.tif 000002
【特許請求の範囲】
【請求項１】
情報の部分に対して、別の情報を関連づけておき、情報を視聴しているユーザに関連づけられた別の情報を提供するシステムにおいて、
情報提供スケジュールを管理する情報提供スケジュール管理機能と、
情報制作者が作成した情報を管理する情報管理機能と、
前記情報管理機能が管理している情報同士が、互いに関連づけられても良い状態にあるのかを管理する情報承認状態管理機能と、
関連づけられる元になる情報の部分に対して登録された承認コードを管理する承認コード管理機能と、
関連づけられる元になる情報の部分を指定する部分指定機能と、
前記部分指定機能で指定した部分に対して関連付ける情報を前記情報管理機能に問い合わせて検索する情報検索機能と、
関連づけられる元になる情報の部分と、そこに関連づけられる情報とを、前記情報提供スケジュール管理機能が管理する情報提供スケジュールに登録する情報提供スケジュール登録機能と、
関連づけられる元になる情報の制作者が関連づけを認めていない情報に関して、関連づけして良いかの承認を、関連づけられる元になる情報の制作者に依頼する承認依頼機能と、
で構成されることを特徴とする情報提供スケジュールのセキュリティ管理システム。
【請求項２】
関連づけられる情報が、コンテンツの部分を示すものであることを特徴とする請求項１記載の情報提供スケジュールのセキュリティ管理システム。
【請求項３】
情報の部分に対して、別の情報を関連づけておき、情報を視聴しているユーザに関連づけられた別の情報を提供するシステムにおいて、
情報提供スケジュール管理機能が情報提供スケジュールを管理し、
情報管理機能が情報制作者が作成した情報を管理し、
情報承認状態管理機能が、前記情報管理機能が管理している情報同士が互いに関連づけられても良い状態にあるのかを管理し、
承認コード管理機能が、関連づけられる元になる情報の部分に対して登録された承認コードを管理し、
部分指定機能が、関連づけられる元になる情報の部分を指定し、
情報検索機能が、前記部分指定機能で指定した部分に対して関連付ける情報を前記情報管理機能に問い合わせて検索し、
情報提供スケジュール登録機能が、関連づけられる元になる情報の部分と、そこに関連づけられる情報とを、前記情報提供スケジュール管理機能が管理する情報提供スケジュールに登録し、
承認依頼機能が、関連づけられる元になる情報の制作者が関連づけを認めていない情報に関して、関連づけして良いかの承認を、関連づけられる元になる情報の制作者に依頼する、
ことを特徴とする情報提供スケジュールのセキュリティ管理方法。
【請求項４】
関連づけられる情報が、コンテンツの部分を示すものであることを特徴とする請求項３記載の情報提供スケジュールのセキュリティ管理方法。
【請求項５】
請求項３もしくは４記載の情報スケジュールのセキュリティ管理方法をコンピュータで実行するためのプログラム。
【請求項６】
請求項３もしくは４記載の情報スケジュールのセキュリティ管理方法をコンピュータで実行するためのプログラムを記録した記録媒体。
【発明の詳細な説明】
【０００１】
【発明の属する技術分野】
本発明は、データ伝送媒体（手段）を介して、データ受信側へ放送／配信される情報（以下、リンク元情報）に関連する情報（情報自体、および／またはその情報の識別情報を含む、以下リンク先情報）を管理するシステムにおいて、リンク元情報とリンク先情報間のリンク関係を作成する際に、各情報制作者がリンクに対して持つ要望を反映し、第三者によって勝手なリンク関係を作成されることを防止するための技術に関するものである。
【０００２】
【従来の技術】
近年、インターネットやＣＡＴＶ網等の伝送媒体を介してデータ受信側の端末へ情報を配信し、その受信側（配信先）端末のユーザ（視聴者）へ情報を提供するサービスが盛んに行われている（例えば、非特許文献１参照）。
【０００３】
さらに、その発展形として、リンク元情報に付随させて、リンク先情報を提供するサービスが可能となってきている。リンク先情報の提供サービスの実現方法として、リンク元情報に付随させて提供するリンク先情報と、そのリンク先情報を提示する区間（以下、リンク区間と記載する）を表すリンク開始時間およびリンク終了時間をリンク情報（以下、リンクスケジュールと記載する）を管理しておく方法がある（非特許文献２参照）。
【０００４】
非特許文献２で提案されている、リンクスケジュールを用いたリンク先情報提供サービスの実現方法の一例を図１１に示す。図１１に示すように、例えば、放送開始時刻が２００３年１月１５日９時（２００３／１／１５０９：００：００）、放送終了時刻が２００３年１月１５日１０時（２００３／１／１５  １０：００：００）の１時間のタイムスケジュール１０１に沿って放送（配信）されるリンク元情報１０２があると仮定する。なお、本明細書では、西暦Ａ年Ｂ月Ｃ日Ｄ時Ｅ分Ｆ秒を、”Ａ／Ｂ／Ｃ  Ｄ：Ｅ：Ｆ”として表している。このリンク元情報１０２のリンク先情報提示のために用いられるリンクスケジュールは、図中符号１０３で表される。
【０００５】
このとき、リンク元情報１０２のタイムスケジュール１０１に沿って、リンク先情報Ａ（１０７）を提示する区間（リンク区間）Ａ〈２００３／１／１５  ０９：０８：００（９時  ８分  ００秒）〜２００３／１／１５  ０９：１８：００）は符号１０４、リンク先情報  Ｂ（１０８）を提示する区間Ｂ（２００３／１／１５  ０９：２５：００〜２００３／１／１５  ０９：３２：００）は符号１０５、リンク先情報Ｃ（１０９）を提示する区間Ｃ（２００３／１／１５  ０９：４４：００〜２００３／１／１５  ０９：５６：００）は符号１０６としてそれぞれ表されており、これらのリンク区間をリンクスケジュール１０３に持たせている。
【０００６】
このリンク先情報提供サービスによれば、リンク元情報１０２を視聴している視聴者がリンク先情報の呼出しの要求をしたとき、上記リンクスケジュール１０３を参照することにより、要求をした時刻に対応したリンク先情報を特定して、視聴者に提供することが可能となる。
【０００７】
したがって、上記のようなリンク先情報提供サービスを行うためには、リンク元情報とリンク先情報とリンクスケジュールを用意しておく必要がある。
【０００８】
図１２に、リンク先情報提供サービスの実施形態の一例を示す。リンク元情報制作者（２１０）は、制作したリンク元情報（２１１）を、放送局へ納める。また、リンク先情報制作者（２２０）は、制作したリンク先情報（２２１）を、放送局のリンク先情報蓄積部（２３１）に登録する。放送局（２３０）は、リンク元情報（２１１）のリンク先情報として視聴者に提供するコンテンツを、リンク先情報蓄積部（２３１）内に登録されているリンク先情報の中から選び出し、図１１に示すようなリンクスケジュール（２３２）を作成し、リンク先情報提供サービスを行う。
【０００９】
なお、非特許文献３では、コンテンツの部分同士のリンク情報を定義することによって、複数のコンテンツの部分を結びつけて連携させ、リンク先情報を提供する方法も提案されている。
【００１０】
【非特許文献１】
“ｇｏｏ  ブロードバンド”、株式会社エヌ・テイ・テイ・エックス
ＵＲＬ：ｈｔｔｐ：／／ｂｂ．ｇｏｏ．ｎｅ．ｊｐ
【非特許文献２】
真鍋，平野，花籠，安藤，外村，“コンテンツ関連情報管理方式”，
ＦＩＴ２００２，Ｊ−５１，２００２
【非特許文献３】
澤瀬，平野，植野，東野，“クロスメディア連携システムのデザイン”，
電子情報通信学会総合大会，Ａ−１６−２７，２００３
【００１１】
【発明が解決しようとする課題】
上記のように、従来技術においては、放送局のような第三者がリンクスケジュール作成を行う場合を想定すると、リンク元情報制作者の意図に沿わないリンク先情報が、リンク元情報と関連づけられる可能性がある。仮に、リンク元情報制作者が、リンク元情報の特定のシーンと、そこに関連づけるべきリンク先情報を放送局に指示したとしても、第三者である放送局がリンクスケジュール作成作業を行うことによる人為的なミスによって、リンク元情報制作者が指示したのとは異なるリンク先情報が関連づけられることも考えられる。また、逆に、リンク先情報制作者が関連づけられたくないリンク元情報に対して、関連づけられてしまう可能性もある。
【００１２】
本発明は、上記の課題に鑑みてなされたものであり、その目的とするところは、第三者によるリンクスケジュール作成の際、リンク元情報とリンク先情報の関連づけに関するチェック機構を設け、リンク元情報制作者およびリンク先情報制作者、各々の意図を反映したリンクスケジュール作成を実現することにある。
【００１３】
【課題を解決するための手段】
本発明では、リンクスケジュール作成におけるリンク先情報制作者の要望を反映するために、リンク先情報の属性情報にリンク被承認条件を持たせ、リンク元情報制作者の使用目的を示す目的キーワードと照合する機能を持たせる。また、リンク元情報制作者の意図を、第三者が行うリンクスケジュール作成に反映させるために、リンク元情報の部分に承認コードを付与しておき、関連づけようとするリンク元情報の部分に付与されている承認コードと、リンク先情報に付与されている承認コードが一致しているかどうかをチェックする機能を設ける。
【００１４】
【発明の実施の形態】
図１に、本発明における情報提供スケジュールのセキュリティ管理システムの全体構成図を示す。本システムは、情報管理機能１０、情報承認状態管理機能２０、承認コード管理機能３０、部分指定機能４０、情報検索機能５０、情報提供スケジュール登録機能６０、承認依頼機能７０、情報提供スケジュール管理機能８０を具備する。ここで、部分指定機能４０、情報検索機能５０、情報提供スケジュール登録機能６０は放送局３内に設け、それ以外の機能はネットワーク上に設ける。コンテンツの部分の指定方法や、コンテンツの種類には特に依存しない。
【００１５】
情報提供スケジュール管理機能８０は、情報提供スケジュールを管理する。情報管理機能１０は情報制作者が作成した情報を管理する。情報承認状態管理機能２０は情報管理機能１０が管理している情報同士が、互いに関連づけられても良い状態にあるのかを管理する。承認コード管理機能３０は関連づけられる元になる情報の部分に対して登録された承認コードを管理する。部分指定機能４０は関連づけられる元になる情報の部分を指定する。情報検索機能５０は部分指定機能４０で指定した部分に対して関連付ける情報を情報管理機能に問い合わせて検索する。情報提供スケジュール登録機能６０は関連づけられる元になる情報の部分と、そこに関連づけられる情報とを、情報提供スケジュール管理機能８０が管理する情報提供スケジュールに登録する。承認依頼機能７０は関連づけられる元になる情報の制作者が、関連づけを認めていない情報に関して、関連づけして良いかの承認を、関連づけられる元になる情報の制作者に依頼する。
【００１６】
図２に第１の実施例の処理の流れを示す。図２は、情報制作者１（４２０）が制作した情報がリンク元情報になり、情報制作者２（４１０）が制作した情報がリンク先情報になった場合の例を示しているが、基本的に、全ての情報は、リンク先情報にもリンク先にもなり得る。以下に図２の処理の流れを説明する。
【００１７】
（１）情報制作者２（４１０）がリンク先情報を制作し、情報管理機能４４０に登録する。それと同時に情報承認状態管理機能４５０に、リンク先情報名を登録する。
図４の情報管理テーブルは、情報管理機能４４０の実装例であり、情報の名称、ジャンル、スポンサー等、情報の属性を管理するものである。また、情報管理テーブルでは、被承認条件も管理し、リンク元情報から関連づけされる際の条件も管理しておく。図５に、被承認条件の例を示す。被承認条件の例としては、この情報がリンク先情報となり得るかどうかを示す被リンクの可否や、関連づけられたくないリンク元情報を表す拒否キーワード等を用いる。
図６の情報承認状態管理テーブルは、情報承認状態管理機能４５０の実装例であり、どの情報に、どのリンク先情報制作者の承認コードが付与されているかを管理するものである。
【００１８】
（２）情報制作者１（４２０）は、情報管理機能４４０にアクセスし、情報制作者２（４１０）が登録した情報の内容をチェックし、使用しても良いと思う情報に対して承認コードを発行し、その使用目的を表す目的キーワードと共に、情報承認状態管理機能４５０へ渡す。
このとき、情報承認状態管理機能４５０は、受け取った目的キーワードと、情報管理機能４４０が管理している拒否キーワードを照合し、目的キーワードが拒否キーワードと合致しない場合は、情報承認状態管理機能４５０の実装例である情報承認状態管理テーブル（図６）に承認コードを登録する。この承認コードは、１つのリンク元情報制作者ごとに唯一の承認コードを所有する場合もあるし、１つのリンク元情報制作者が複数の承認コードを所有する場合もあり得る。後者の場合、１つのリンク先情報に対し、同じリンク元情報制作者の複数の承認コードを付与することも可能である。
もし、目的キーワードが拒否キーワードと合致する場合は、情報承認状態管理機能４５０は、情報制作者１からの承認コードを付与して良いかの承認依頼を情報制作者２（４１０）へ出す。そこで、情報制作者２（４１０）が承認コード付与を認めた場合は、情報承認状態管理機能４５０に承認コードを渡し、情報承認状態管理機能４５０情報承認状態管理テーブル（図６）に該承認コードを登録する。情報制作者２（４１０）が承認コード付与を認めない場合は、情報制作者（４２０）は、該情報をリンク先情報として使用することはできない。
【００１９】
（３）情報制作者１（４２０）はリンク元情報を制作すると、そのリンク元情報の部分に対して承認コードを付与し、承認コード管理機能（４６０）に登録する。この承認コードは、先の（２）でチェックしたリンク先情報の中から、このリンク元情報のリンク先情報として使用したいものに対して発行した承認コードを用いる。
図７の承認コード管理テーブルは、承認コード管理機能４６０の実装例であり、リンク元情報のあるシーンに存在する被写体に対して、承認コードを付与するために使用するテーブルを示している。
【００２０】
（４）放送局４３０が、部分指定機能４７１と情報検索機能４７２と情報提供スケジュール登録機能４７３を有するオーサリングツール（４７０）を用いて、情報提供スケジュールを作成することを想定する。
まず、部分指定機能４７１により、リンク元情報の部分（時間区間、矩形領域等）を指定する。それによって得られたリンク元情報の部分情報をリンク元情報名と併せて承認コード管理機能４６０に渡し、図７の承認コード管理テーブルからその部分に付与されている承認コードを取得する。
【００２１】
（５）部分指定機能４７１によって、リンク元情報の部分を指定した後は、情報検索機能４７２を用いて、情報管理機能４４０に問い合わせ、そのリンク元情報の部分に関連づけるリンク先情報を検索する。このとき、リンク先情報の属性情報（ジャンル、内容文等）を参考に、絞り込みを行う。情報管理機能４４０は、検索結果を返却する際に、情報承認状態管理機能４５０から返却するリンク先情報に付与されている承認コードを取得しておき、リンク先情報属性と併せて、情報検索機能４７２に返却する。
【００２２】
（６）情報提供スケジュール登録機能４７３は、情報検索機能４７２からリンク先情報属性とそのリンク先情報に付与されている承認コードを取得し、リンク先情報リストを作成する。さらに、部分指定機能４７１から部分情報とその部分に付与されている承認コードを取得し、その承認コードをキーに、リンク先情報リスト内を検索し、同じ承認コードを持つリンク先情報をハイライト表示する。ここで、ハイライトされているリンク先情報は、リンク元情報制作者がリンク元情報の部分に関連付けても良いと承認しているものであることを示している。
【００２３】
（７）情報提供スケジュール登録機能４７３により、先の（６）でハイライトされているリンク先情報を選択した場合は、リンク元情報名、リンク元情報の部分情報、その部分に関連づけるリンク先情報名を情報提供スケジュール管理機能４８０に登録する。
図８のリンクスケジュールテーブルは、情報提供スケジュール管理機能４８０の実装例であり、リンク元情報名、リンク区間を示す時間区間／矩形領域、リンク先となるリンク先情報名を管理する。
【００２４】
（８）情報提供スケジュール登録機能４７３により、先の（６）でハイライトされていないリンク先情報を選択した場合は、承認依頼機能４９０により、情報制作者１（４２０）に対して、リンク先情報として使用しても良いかの承認依頼を行う。まず、情報提供スケジュール登録機能４７３から、リンク元情報名、リンク元情報の部分情報、関連付けたいリンク先情報名、リンク元情報の部分に付与されていた承認コードを承認依頼機能４９０へ渡す。承認依頼機能４９０は、リンク元情報名、リンク元情報の部分情報、関連付けたいリンク先情報名を情報制作者１（４２０）に送り、リンク先情報として使用しても良いかの承認依頼を行う。
【００２５】
（９）上記（８）の承認依頼に対して、情報制作者１（４２０）が承認しなかった場合は、このリンク元情報の部分とリンク先情報を関連付けることはできない。
【００２６】
（１０）上記（８）の承認依頼に対して、情報制作者１（４２０）が承認した場合は、その認データを、承認依頼機能４９０を経由して、情報提供スケジュール登録機能４７３へ返却する。そして、情報提供スケジュール登録機能４７３により、先の（７）と同様に、リンク元情報名、リンク元情報の部分情報、その部分に関連づけるリンク先情報名を情報提供スケジュール管理機能４８０に登録する。
さらに、このリンク元情報の部分に付与されていた承認コードを、今回関連づけたリンク先情報に付与しても良いかを情報制作者１（４２０）に問い合わせ、情報制作者１（４２０）が承認すると、承認依頼機能４９０により、リンク元情報の部分に付与されていた承認コードを、情報承認状態管理機能４５０に登録する。これにより、次回、このリンク元情報の同じ部分に、同じリンク先情報を関連付けようとしたときには、情報制作者１（４２０）に問い合わせることなく、情報提供スケジュール管理テーブルに登録することが可能となる。
【００２７】
図３に、第２の実施例の処理の流れを示す。これは、図２の第１の実施例で扱ったリンク先情報に関して、リンク先情報の部分に対しても、承認コードを登録しておき、リンク元情報の部分とリンク先情報の部分とを関連づける際にも、双方の情報制作者の意図が反映できるようにしたものである。
【００２８】
この第２の実施例で使用する情報承認状態管理機能４５０の実装例である情報承認状態管理テーブルを図９に示す。図５の例で云えば、情報制作者１（４２０）がリンク先情報をチェックし、使用しても良いリンク先情報に対して承認コードを発行する際に、図９のテーブルを用いて、リンク先情報の部分（時間区間、矩形領域等）に対しても承認コードを登録しておく。そうすることによって、情報提供スケジュール登録機能４７３が、リンク先情報リストを作成したときに、リンク先情報の部分単位で、リンク元情報との関連づけの承認が情報制作者１によってなされているかどうかを確認することができる。そして最終的に、情報提供スケジュール管理機能４８０の実装例として、図１０に示すリンクスケジュールテーブルを使用することにより、リンク元情報内のあるシーンの被写体と、リンク先情報内のあるシーンの被写体を関連づけることも可能になる。
【００２９】
なお、図１で示したシステムにおける各部の一部もしくは全部の処理機能をコンピュータのプログラムで構成し、そのプログラムをコンピュータを用いて実行して本発明を実現することができること、あるいは、図２、図３で示した処理手順をコンピュータのプログラムで構成し、そのプログラムをコンピュータに実行させることができることは言うまでもない。また、コンピュータでその処理機能を実現するためのプログラム、あるいは、コンピュータにその処理手順を実行させるためのプログラムを、そのコンピュータが読み取り可能な記録媒体、例えば、ＦＤ、ＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【００３０】
【発明の効果】
以上に述べたように、放送局のような第三者がリンクスケジュール作成を行う場合でも、本発明に係わる情報提供スケジュールのセキュリティ管理システムによれば、リンク先情報の属性情報にリンク被承認条件を持たせ、リンク元情報制作者の使用目的を示す目的キーワードと照合することにより、リンクスケジュール作成におけるリンク先情報制作者の要望を反映することができる。
【００３１】
また、リンク元情報制作者が、リンク元情報の部分に承認コードを付与しておき、関連づけようとするリンク元情報の部分に付与されている承認コードと、リンク先情報に付与されている承認コードが一致しているかどうかをチェックする機能を設けることにより、リンク元情報制作者の意図を、第三者が行うリンクスケジュール作成に反映させることが可能になった。
【００３２】
また、リンク先情報の部分にも、承認コードを付与しておくことによって、コンテンツの部分同士の関連づけに関しても、リンク元情報制作者およびリンク先情報制作者、各々の意図を反映したリンクスケジュール作成が可能となる。
【図面の簡単な説明】
【図１】本発明による情報提供スケジュールのセキュリティ管理システムの全体構成図である。
【図２】本発明の第１の実施例の処理の流れを示す図である。
【図３】本発明の第２の実施例の処理の流れを示す図である。
【図４】情報管理テーブルの一例である。
【図５】情報管理テーブルの被承認条件の設定例である。
【図６】情報承認状態管理テーブルの一例である。
【図７】承認コード管理テーブルの一例である。
【図８】リンクスケジュールテーブルの一例である。
【図９】情報承認状態管理テーブルの他の一例である。
【図１０】リンクスケジュールテーブルの他の一例である。
【図１１】従来のリンクスケジュールを用いたリンク先情報提供サービスの実現方法の一例である。
【図１２】従来のリンク先情報提供サービスの実施形態の一例である。
【符号の説明】
１０  情報管理機能
２０  情報承認状態管理機能
３０  承認コード管理機能
４０  部分指定機能
５０  情報検索機能
６０  情報提供スケジュール登録機能
７０  承認依頼機能
８０  情報提供スケジュール管理機能
【図１】
2004349894.tif 000003
【図２】
2004349894.tif 000004
【図３】
2004349894.tif 000005
【図４】
2004349894.tif 000006
【図５】
2004349894.tif 000007
【図６】
2004349894.tif 000008
【図７】
2004349894.tif 000009
【図８】
2004349894.tif 000010
【図９】
2004349894.tif 000011
【図１０】
2004349894.tif 000012
【図１１】
2004349894.tif 000013
【図１２】
2004349894.tif 000014